(57)【特許請求の範囲】
【請求項１】
交換部品を管理する画像処理装置であって、
自己装置識別情報及び自己グループ識別情報が格納されている記憶部と、
自己管理識別情報を入力する入力部と、
前記交換部品に実装されているデータキャリアに登録されている部品装置識別情報、部品管理識別情報、及び部品グループ識別情報を取得する取得部と、
前記記憶部に格納された前記自己装置識別情報と前記取得部によって取得された前記部品装置識別情報とを比較する第１比較部と、前記入力部から入力された前記自己管理識別情報と前記取得部によって取得された前記部品管理識別情報とを比較する第２比較部と、前記記憶部に格納された前記自己グループ識別情報と前記取得部によって取得された前記部品グループ識別情報とを比較する第３比較部と、前記第１比較部の比較結果が一致した場合に交換部品の使用を許可し、前記第１比較部の比較結果が一致しなかった場合でも前記第３比較部の比較結果が一致したときに交換部品の使用を許可し、前記第１比較部及び前記第３比較部の比較結果がともに一致しなかった場合でも前記第２比較部の比較結果が一致したときに交換部品の使用を許可し、それ以外の場合は交換部品の使用を許可しないと判断する判断部とを備える制御部と、
を有することを特徴とする画像処理装置。
【請求項２】
交換部品を管理する画像処理装置であって、
自己装置識別情報が格納されている記憶部と、
自己管理識別情報を入力する入力部と、
前記交換部品に実装されているデータキャリアに登録されている部品装置識別情報、及び部品管理識別情報を取得する取得部と、
前記記憶部に格納された前記自己装置識別情報と前記取得部によって取得された前記部品装置識別情報とを比較する第１比較部と、前記入力部から入力された前記自己管理識別情報と前記取得部によって取得された前記部品管理識別情報とを比較する第２比較部と、前記第１比較部の比較結果が一致しなかった場合、且つ、前記部品管理識別情報が記憶されている場合、前記入力部を介して自己管理識別情報の入力を要求し、前記自己管理識別情報が入力され、第２比較部の比較結果により前記自己管理識別情報と前記部品管理識別情報とが一致していたときに交換部品の使用を許可すると判断する判断部とを備える制御部と、
を有することを特徴とする画像処理装置。
【請求項３】
前記記憶部は、他の装置識別情報が更に格納され、
前記第１比較部は、前記自己装置識別情報又は前記他の装置識別情報と前記部品装置識別情報とを比較する、
ことを特徴とする請求項２に記載の画像処理装置。
【請求項４】
前記取得部は、非接触通信により前記データキャリアに登録される情報を取得する、
ことを特徴とする請求項１ないし請求項３の何れか１項に記載の画像処理装置。
【請求項５】
請求項１ないし請求項４の何れか１項に記載の画像処理装置と、
前記交換部品を備え、前記判断部が前記交換部品の使用を許可すると判断したときに、媒体に画像を形成する画像形成部と、
を備えたことを特徴とする画像形成装置。
【請求項６】
交換部品を管理する画像処理装置の制御部に実行させるためのプログラムであって、
前記画像処理装置の自己装置識別情報及び自己グループ識別情報を記憶部に格納させる機能と、
自己管理識別情報を入力部から入力させる機能と、
前記交換部品に実装されているデータキャリアに登録される部品装置識別情報、部品管理識別情報、及び部品グループ識別情報を取得部に取得させる機能と、
前記記憶部に格納された前記自己装置識別情報と前記取得部によって取得された前記部品装置識別情報とを比較する第１比較機能と、前記入力部から入力された前記自己管理識別情報と前記取得部によって取得された前記部品管理識別情報とを比較する第２比較機能と、前記記憶部に格納された前記自己グループ識別情報と前記取得部によって取得された前記部品グループ識別情報とを比較する第３比較機能と、前記第１比較機能の比較結果が一致した場合に交換部品の使用を許可し、前記第１比較機能の比較結果が一致しなかった場合でも前記第３比較機能の比較結果が一致したときに交換部品の使用を許可し、前記第１比較機能及び前記第３比較機能の比較結果がともに一致しなかった場合でも前記第２比較機能の比較結果が一致したときに交換部品の使用を許可し、それ以外の場合は交換部品の使用を許可しないと判断する判断機能と、
を前記制御部に実現させるためのプログラム。
【請求項７】
交換部品を管理する画像処理装置の制御部に実行させるためのプログラムであって、
前記画像処理装置の自己装置識別情報を記憶部に格納させる機能と、
自己管理識別情報を入力部から入力させる機能と、
前記交換部品に実装されているデータキャリアに登録される部品装置識別情報、及び部品管理識別情報を取得部に取得させる機能と、
前記記憶部に格納された前記自己装置識別情報と前記取得部によって取得された前記部品装置識別情報とを比較する第１比較機能と、前記入力部から入力された前記自己管理識別情報と前記取得部によって取得された前記部品管理識別情報とを比較する第２比較機能と、前記第１比較機能の比較結果が一致しなかった場合、且つ、前記部品管理識別情報が記憶されている場合、前記入力部を介して自己管理識別情報の入力を要求し、前記自己管理識別情報が入力され、第２比較機能の比較結果により前記自己管理識別情報と前記部品管理識別情報とが一致していたときに交換部品の使用を許可すると判断する判断機能と、
を前記制御部に実現させるためのプログラム。
【発明の詳細な説明】
【技術分野】
【０００１】
本発明は、画像処理装置、画像形成装置、及びプログラムに関する。
【背景技術】
【０００２】
従来、プリンタ，複写機，ファクシミリ装置，複合機等の画像形成装置は、画像形成装置の本体、すなわち装置本体に対して、ドラムカートリッジ、トナーカートリッジ等の交換部品（以下、「ユニット」と称する場合がある）が着脱自在に配設されるようになっている。
通常、装置本体の製造者は、純正品、推奨品等のような、製造者がその使用を認めている交換部品が装着される場合を想定して設計するため、模造品，類似品等のような交換部品が装着されると、設計者の想定していない画質の劣化や故障等の問題が発生する恐れがある。
そのため、純正品を示すタグやメモリを交換部品に配設し、模造品等での印刷を禁止するようにする技術が多数提案されている（例えば、特許文献１参照）。
【先行技術文献】
【特許文献】
【０００３】
【特許文献１】特開２００７−２９２９９２号公報（段落０００４〜００１１、図１）
【発明の概要】
【発明が解決しようとする課題】
【０００４】
しかし、従来の技術においては、同一の機種であるならば交換部品の使いまわしを行うことが可能であるので、装置単位で使用頻度の管理を行うことが困難であった。
【０００５】
本発明は前記問題に鑑みてなされたものであり、決められた画像処理装置以外では、同一の機種であっても交換部品の使い回しを禁止することができる、画像処理装置、画像形成装置、及びプログラムを提供することを目的とする。
【課題を解決するための手段】
【０００６】
前記目的を達成するために、本発明に係る画像処理装置の一の手段は、交換部品を管理する画像処理装置であって、自己装置識別情報及び自己グループ識別情報が格納されている記憶部と、自己管理識別情報を入力する入力部と、前記交換部品に実装されているデータキャリアに登録されている部品装置識別情報、部品管理識別情報、及び部品グループ識別情報を取得する取得部と、前記記憶部に格納された前記自己装置識別情報と前記取得部によって取得された前記部品装置識別情報とを比較する第１比較部と、前記入力部から入力された前記自己管理識別情報と前記取得部によって取得された前記部品管理識別情報とを比較する第２比較部と、前記記憶部に格納された前記自己グループ識別情報と前記取得部によって取得された前記部品グループ識別情報とを比較する第３比較部と、前記第１比較部の比較結果が一致した場合に交換部品の使用を許可し、前記第１比較部の比較結果が一致しなかった場合でも前記第３比較部の比較結果が一致したときに交換部品の使用を許可し、前記第１比較部及び前記第３比較部の比較結果がともに一致しなかった場合でも前記第２比較部の比較結果が一致したときに交換部品の使用を許可し、それ以外の場合は交換部品の使用を許可しないと判断する判断部とを備える制御部と、を有することを特徴とする。
【０００７】
前記目的を達成するために、本発明に係る画像形成装置は、前記画像処理装置と、前記交換部品を備え、前記判断部が前記交換部品の使用を許可すると判断したときに、媒体に画像を形成する画像形成部と、を備えたことを特徴とする。
【０００８】
前記目的を達成するために、本発明に係る画像処理装置の他の手段は、交換部品を管理する画像処理装置であって、自己装置識別情報が格納されている記憶部と、自己管理識別情報を入力する入力部と、前記交換部品に実装されているデータキャリアに登録されている部品装置識別情報、及び部品管理識別情報を取得する取得部と、前記記憶部に格納された前記自己装置識別情報と前記取得部によって取得された前記部品装置識別情報とを比較する第１比較部と、前記入力部から入力された前記自己管理識別情報と前記取得部によって取得された前記部品管理識別情報とを比較する第２比較部と、前記第１比較部の比較結果が一致しなかった場合、且つ、前記部品管理識別情報が記憶されている場合、前記入力部を介して自己管理識別情報の入力を要求し、前記自己管理識別情報が入力され、第２比較部の比較結果により前記自己管理識別情報と前記部品管理識別情報とが一致していたときに交換部品の使用を許可すると判断する判断部とを備える制御部と、を有することを特徴とする。
【発明の効果】
【０００９】
本発明によれば、決められた画像形成装置以外では交換部品の使い回しを禁止することができる。
【図面の簡単な説明】
【００１０】
【図１】本発明の第１実施形態に係る画像形成装置の構成図である。
【図２】第１実施形態に係る画像形成ユニットの構成図である。
【図３】第１実施形態に係る操作パネルの構成図である。
【図４】第１実施形態に係る画像形成装置の機能構成図である。
【図５】第１実施形態に係るＲＦＩＤタグのデータ構成図である。
【図６】第１実施形態に係る画像形成装置のデータ構成図である。
【図７】第１実施形態に係る画像形成装置に交換部品が装着されたときの動作について説明する図である。
【図８】第１実施形態に係る交換部品に管理者ＩＤを登録するときの動作について説明する図である。
【図９】第２実施形態に係る画像形成装置の機能構成図である。
【図１０】第２実施形態に係る画像形成装置のデータ構成図である。
【図１１】第２実施形態に係る画像形成装置に交換部品が装着されたときの動作について説明する図である。
【図１２】第３実施形態に係る画像形成装置の機能構成図である。
【図１３】第３実施形態に係る画像形成装置のデータ構成図である。
【図１４】第３実施形態に係るＲＦＩＤタグのデータ構成図である。
【図１５】第３実施形態に係る画像形成装置に交換部品が装着されたときの動作について説明する図である。
【図１６】交換部品の変形例を説明する図である。
【発明を実施するための形態】
【００１１】
≪第１実施形態に係る画像形成装置の構成≫
図１に、第１実施形態に係る画像形成装置の構成図を示す。図２に、画像形成ユニットの構成図を示す。図３に、操作パネルの構成図を示す。
以下、図１，図２，及び図３を参照して、画像形成装置としてのプリンタ１の構成を詳細に説明する。
【００１２】
画像形成装置としてのプリンタ１は、画像形成ユニット６と、定着ユニット７と、搬送機構（給紙ローラ３、搬送ローラ４，５、排出ローラ８，９）と、ＲＦＩＤ（Radio Frequency Identification）リーダ・ライタ１１と、操作パネル１２と、記憶部１３と、センサ１４と、制御部１００とを備える。
【００１３】
（給紙カセット，給紙ローラ，搬送ローラ）
給紙カセット２は、印刷用紙等の媒体Ｐ１を格納する。
給紙ローラ３は、給紙カセット２から媒体Ｐ１を１枚ずつ取り出す。
搬送ローラ４及び搬送ローラ５は、給紙ローラ３から取り出された媒体Ｐ１を、画像形成ユニット６に送り込む。
【００１４】
（画像形成ユニット）
画像形成ユニット６は、媒体Ｐ１に画像を形成する。画像形成ユニット６の拡大図を、図２に示す。本実施形態では、画像形成ユニット６に交換部品（以下、「ユニット」と称する場合がある）としてのイメージドラムカートリッジ６ａが含まれている。
【００１５】
以下、図２を参照して画像形成ユニット６について詳細に説明する。
画像形成ユニット６は、交換部品としてのイメージドラムカートリッジ６ａ，ＬＥＤヘッド６ｋ，及び転写ドラム６ｈで構成される。
【００１６】
なお、本実施形態では、交換部品の１つの例としてイメージドラムカートリッジ６ａを用いて説明を行っているが、これに限定されるものではない。他の交換部品への適用については、後記する交換部品の変形例で説明する。
【００１７】
＜イメージドラムカートリッジ＞
交換部品としてのイメージドラムカートリッジ６ａは、トナーが収容されるトナー格納部６ｃ、ＬＥＤヘッド６ｋにより静電潜像が形成される印字ドラム（感光ドラム）６ｄ、印字ドラム６ｄに形成された静電潜像をトナー像として顕在化する現像ローラ６ｅ、トナー格納部６ｃに収容されているトナーを現像ローラ６ｅに供給する供給ローラ６ｆ、印字ドラム６ｄを帯電させる帯電ローラ６ｇで構成される。
また、イメージドラムカートリッジ６ａは、現像ローラ６ｅ上に供給されたトナーを薄層形成する現像ブレード６ｉ、転写されずに印字ドラム６ｄ上に残留したトナーを掻き取り、回収するためのクリーニングブレード６ｊを備えている。
【００１８】
＜ＲＦＩＤタグ＞
さらに、交換部品としてのイメージドラムカートリッジ６ａには、データキャリアとしてのＲＦＩＤ（Radio Frequency Identification）タグ６ｂが実装されている。ＲＦＩＤタグ６ｂは、イメージドラムカートリッジ６ａの種々の情報を記憶する。ＲＦＩＤタグ６ｂは、例えば、制御回路，メモリ回路，及びアンテナ等（いずれも図示せず）で構成される。
以上で、イメージドラムカートリッジ６ａの説明を終了する。
【００１９】
＜ＬＥＤヘッド，転写ドラム＞
ＬＥＤヘッド６ｋは、複数のＬＥＤが直線状に配列されたものであり、印刷パターンにしたがってＬＥＤを選択的に発光させることにより、印字ドラム６ｄの表面を露光し、静電潜像を形成する。
転写ドラム６ｈは、印字ドラム（感光ドラム）６ｄに形成されたトナー像を媒体Ｐ１に転写する。
【００２０】
印字ドラム（感光ドラム）６ｄ，現像ローラ６ｅ，供給ローラ６ｆ，帯電ローラ６ｇ，転写ドラム６ｈは、それぞれ図２に示す矢印方向に回転する。
以上で、画像形成ユニット６の説明を終了する。
【００２１】
（定着ユニット，排出ローラ，排出トレイ）
図１に示す、定着ユニット７は、加熱ローラ７ａと定着ローラ７ｂとが互いに対向して備えられ、媒体Ｐ１に転写されたトナー像を加熱・加圧して、媒体Ｐ１に定着される。
排出ローラ８及び排出ローラ９は、定着ユニット７で画像が定着した媒体Ｐ１を排出トレイ１０に排出する。
【００２２】
（ＲＦＩＤリーダ・ライタ）
取得部としてのＲＦＩＤ（Radio Frequency Identification）リーダ・ライタ１１は、イメージドラムカートリッジ６ａ（図２参照）に実装されているＲＦＩＤタグ６ｂ（図２参照）に記録されている情報の読み取りと、ＲＦＩＤタグ６ｂへの情報の書き込みを行う。ＲＦＩＤリーダ・ライタ１１は、例えば、制御回路，アンテナ等（いずれも図示せず）で構成されている。
【００２３】
（操作パネル）
入力部としての操作パネル１２は、プリンタ１の状態の表示、及び各種設定のための入力が行われる。
図３に、操作パネル１２の構成を示す。
表示部１２ａは、プリンタの状態等を表示するＬＣＤパネルである。操作ボタン１２ｂは、プリンタの各種設定や、後記する管理者ＩＤ等の入力を行うためのボタンである。
【００２４】
（記憶部）
図１に示す、記憶部１３は不揮発性メモリ等で構成される。記憶部１３は、例えば、制御部１００が実行する制御プログラム、印字データ、プリンタ１の様々な情報等を記憶する。
【００２５】
（センサ）
センサ１４は、交換部品としてのイメージドラムカートリッジ６ａが装着されているか否かを検知する。センサ１４は、例えば、機械的な性質で検知する。
【００２６】
（制御部）
図１に示す、制御部１００は、マイクロプロセッサ，及び周辺回路等（いずれも図示せず）から構成される。制御部１００は、記憶部１３に記憶する、図示しない制御プログラムをマイクロプロセッサが実行することで、図４に示す、プリンタ１を制御するための様々な機能を実現する。
以上で、プリンタ１の構成についての説明を終了する。
【００２７】
≪第１実施形態に係る画像形成装置の機能、及びデータ構成≫
図４は、第１実施形態に係る画像形成装置の機能構成図である。図５は、第１実施形態に係るＲＦＩＤタグのデータ構成図である。図６は、第１実施形態に係る画像形成装置のデータ構成図である。
以下では、図５及び図６を参照して、ＲＦＩＤタグ６ｂ及び記憶部１３のデータ構成を説明した後に、図４を参照して、画像形成装置としてのプリンタ１が有する機能を説明する。
なお、図１，図２，及び図３で説明したものについては、同一符号を付す。
【００２８】
≪第１実施形態で使用するデータ構成≫
（ＲＦＩＤタグのデータ構成）
図５は、ＲＦＩＤタグ６ｂのデータ構成図である。
状態情報欄１８ａには、イメージドラムカートリッジ６ａ（図２参照）の状態情報が記憶される。イメージドラムカートリッジ６ａの状態情報（欄１８ａ）は、「００」が新品でプリンタ１に未装着であることを示し、「１０」がプリンタ１に一度装着されているが管理者ＩＤが登録されていないことを示し、「１１」がプリンタ１に一度装着されていて、かつ管理者ＩＤが登録されていることを示す。
【００２９】
なお、イメージドラムカートリッジ６ａが新品の場合は、製造業者が状態情報欄１８ａに値を設定するが、以下では、イメージドラムカートリッジ６ａの製造業者が、製造時に状態情報欄１８ａに「００」を設定して出荷するものとして説明する。
【００３０】
図５に示す、ユニット番号欄１８ｂには、各イメージドラムカートリッジ６ａでユニークなユニット番号が記憶される。ユニット番号（欄１８ｂ）は、例えば、製造業者がイメージドラムカートリッジ６ａを製造する際に付与するシリアル番号でよい。
装置番号欄１８ｃには、イメージドラムカートリッジ６ａが最初に装着されたプリンタの、各プリンタでユニークな部品装置識別情報としての装置番号が記憶される。装置番号（欄１８ｃ）は、後記する記憶部１３に記憶される装置番号（欄１９ａ）と同じデータ形式である。
【００３１】
管理者ＩＤ欄１８ｄには、各管理者でユニークな部品管理識別情報としての管理者ＩＤが記憶される。管理者ＩＤ（欄１８ｄ）は、任意に設定可能であり、例えば、社員番号等であってよい。
以上で、ＲＦＩＤタグ６ｂのデータ構成の説明を終了する。
【００３２】
（記憶部のデータ構成）
図６は、記憶部１３のデータ構成図である。
装置番号欄１９ａには、各画像形成装置でユニークな、自己装置識別情報としての装置番号が記憶される。装置番号（欄１９ａ）は、例えば、製造業者がプリンタ１を製造する際に、プリンタ１に付与するシリアル番号でよい。
以上で、記憶部１３のデータ構成の説明を終了する。
【００３３】
≪第１実施形態に係る画像形成装置の機能≫
図４は、画像形成装置としてのプリンタ１の機能構成図である。図４に示すように、画像形成装置としてのプリンタ１は、画像処理装置１Ａを有しており、この画像処理装置１Ａによって本発明に特有な各機能を実現している。
なお、図４中の制御部１００内に「○○部」と記載する機能は、制御部１００が、記憶部１３に記憶される制御プログラムを、図示しないマイクロプロセッサが実行することで実現する。
以下、各機能について、（１）第１実施形態に係る画像形成装置としてのプリンタ１に交換部品としてのイメージドラムカートリッジ６ａが装着された場合と、（２）第１実施形態に係る画像形成装置を介して交換部品としてのイメージドラムカートリッジ６ａに管理者ＩＤの登録を行う場合と、に分けて説明する。
【００３４】
＜（１）第１実施形態に係る画像形成装置に交換部品が装着された場合の機能＞
（ＲＦＩＤ制御部）
ＲＦＩＤ制御部１１１は、ＲＦＩＤタグ６ｂに対し、ＲＦＩＤリーダ・ライタ１１を介してデータの書き込みを行う。
具体的には、ＲＦＩＤ制御部１１１は、装着されたイメージドラムカートリッジ６ａが新品で未装着の場合に、記憶部１３に記憶されている装置番号（欄１９ａ）をＲＦＩＤタグ６ｂの装置番号欄１８ｃに、「１０」を状態情報欄１８ａに、ＲＦＩＤリーダ・ライタ１１を介して書き込む。
【００３５】
また、ＲＦＩＤ制御部１１１は、ＲＦＩＤタグ６ｂに格納されているデータ（図５参照）をＲＦＩＤリーダ・ライタ１１を介して読み取り、読み取ったデータを各機能に送信する。
具体的には、ＲＦＩＤ制御部１１１は、交換部品としてのイメージドラムカートリッジ６ａが装着されるとすぐにＲＦＩＤタグ６ｂに格納されているデータを読み取り、状態情報（欄１８ａ）を判断部１１６に送信する。
また、ＲＦＩＤ制御部１１１は、装置番号が同一であるか否かを判定する際に、装置番号（欄１８ｃ）を第１比較部１１３に送信する。
また、ＲＦＩＤ制御部１１１は、管理者が同一であるか否かを判定する際に、管理者ＩＤ（欄１８ｄ）を第２比較部１１４に送信する。
【００３６】
（操作制御部）
操作制御部１１２は、利用者が操作パネル１２を介して入力した情報を各機能に送信する。また、操作制御部１１２は、種々の情報を操作パネル１２に表示する。
具体的には、操作制御部１１２は、判断部１１６から印字を行うことができないとの通知を受信した場合に、印字を行えない旨を表示部１２ａ（図３参照）に表示する。
また、操作制御部１１２は、管理者が同一であるか否かを判定する際に、自己管理識別情報としての管理者ＩＤの入力を誘導する画面を表示部１２ａに表示し、入力された管理者ＩＤを第２比較部１１４に送信する。
また、操作制御部１１２は、利用者から印刷設定に関する情報等が入力された際に、入力された情報を印刷制御部１１７に送信する。
【００３７】
（第１比較部）
第１比較部１１３は、交換部品としてのイメージドラムカートリッジ６ａが、最初に装着された画像形成装置に再び装着されたか否かの判定を行う。
具体的には、第１比較部１１３は、ＲＦＩＤ制御部１１１から受信したＲＦＩＤタグ６ｂに記憶されている装置番号（欄１８ｃ）と、記憶部１３に記憶されている装置番号（欄１９ａ）とを比較する。そして、第１比較部１１３は、比較結果を判断部１１６に送信する。
【００３８】
（第２比較部）
第２比較部１１４は、管理者が同一であるか否かの判定を行う。
具体的には、第２比較部１１４は、ＲＦＩＤ制御部１１１から受信したＲＦＩＤタグ６ｂに記憶されている管理者ＩＤ（欄１８ｄ）と、操作制御部１１２から受信した、入力された管理者ＩＤとを比較する。そして、第２比較部１１４は、比較結果を判断部１１６に送信する。
【００３９】
（判断部）
判断部１１６は、交換部品としてのイメージドラムカートリッジ６ａの状態情報、第１比較部１１３の比較結果、及び、第２比較部１１４の比較結果を基に、印刷制御部１１７が印字を行うことを許可するか否かの判断を行い、判断結果を印刷制御部１１７及び操作制御部１１２に通知する。
具体的には、判断部１１６は、ＲＦＩＤ制御部１１１から受信したＲＦＩＤタグ６ｂに記憶されている状態情報（欄１８ａ）が「００」の場合、すなわち、イメージドラムカートリッジ６ａが新品で未装着の場合に印刷を許可する。
また、判断部１１６は、状態情報（欄１８ａ）が「１０」又は「１１」であって、第１比較部１１３から受信した比較結果が一致している場合に印刷を許可する。
また、判断部１１６は、状態情報（欄１８ａ）が「１１」であって、第２比較部１１４から受信した比較結果が一致している場合に印刷を許可する。
それ以外の場合に、判断部１１６は印刷を許可しない。
【００４０】
（印刷制御部１１７）
印刷制御部１１７は、ホストＰＣ９００から送信された画像形成情報の印字を行うために、画像形成情報の画像処理，プリンタ１の機構制御等の一連の動作制御を行う。
印刷制御部１１７は、判断部１１６から通知される判断結果により印字を行うことが許可されている場合に限り、この印字を行うための一連の動作を行う。
以上で、（１）第１実施形態に係る画像形成装置に交換部品が装着された場合の機能についての説明を終了する。
【００４１】
＜（２）第１実施形態に係る画像形成装置を介して交換部品に管理者ＩＤの登録を行う場合の機能＞
（ＲＦＩＤ制御部）
ＲＦＩＤ制御部１１１は、管理者ＩＤの登録処理が開始すると、ＲＦＩＤリーダ・ライタ１１を介してＲＦＩＤタグ６ｂに格納されているデータを読み取り、状態情報（欄１８ａ）を判断部１１６に送信する。
また、ＲＦＩＤ制御部１１１は、操作パネル１２を介して入力された管理者ＩＤを、ＲＦＩＤリーダ・ライタ１１を介してＲＦＩＤタグ６ｂの管理者ＩＤ欄１８ｄに書き込む。
【００４２】
（操作制御部）
操作制御部１１２は、管理者の入力を誘導する画面を表示部１２ａに表示し、操作パネル１２を介して入力された管理者ＩＤをＲＦＩＤ制御部１１１に送信する。
【００４３】
（判断部）
判断部１１６は、交換部品としてのイメージドラムカートリッジ６ａの状態情報を基に、ＲＦＩＤタグ６ｂの管理者ＩＤ欄への書き込みを行うことを許可するか否かの判断を行い、判断結果を操作制御部１１２及びＲＦＩＤ制御部１１１に通知する。
具体的には、判断部１１６は、ＲＦＩＤ制御部１１１から受信したＲＦＩＤタグ６ｂに記憶されている状態情報（欄１８ａ）が、「１０」（管理者ＩＤ未登録）の場合に管理者によるＲＦＩＤタグ６ｂへの管理者ＩＤの書き込みを許可して、「１１」（管理者ＩＤ登録済）の場合に書き込みを許可しない。
以上で、（２）第１実施形態に係る画像形成装置を介して交換部品に管理者ＩＤの登録を行う場合の機能についての説明を終了する。
【００４４】
≪第１実施形態に係る画像形成装置の動作≫
＜画像形成装置の印刷動作＞
最初に、第１実施形態に係る画像形成装置としてのプリンタ１の印刷動作の概要を図１ないし図４を用いて説明する。
ホストＰＣ９００から画像形成情報を受信すると、印刷制御部１１７は、給紙ローラ３を稼動させ給紙カセット２にセットされた媒体Ｐ１を給紙カセット２から取り出し、搬送ローラ４，５を使って画像形成ユニット６に搬送する。
【００４５】
次に、印刷制御部１１７は、画像形成ユニット６で媒体Ｐ１にトナー像を転写させ、トナー像が転写された媒体Ｐ１を定着ユニット７に搬送する。
次に、印刷制御部１１７は、定着ユニット７で媒体Ｐ１上のトナーを加熱ローラ７ａと定着ローラ７ｂを使って媒体Ｐ１上に定着する。
次に、印刷制御部１１７は、排出ローラ８，９を稼動させ、媒体Ｐ１を排出トレイ１０に排出する。これにより印刷動作は完了する。
以上で、画像形成装置の印刷動作の説明を終了する。
【００４６】
＜（１）第１実施形態に係る画像形成装置に交換部品が装着された場合の動作＞
次に、図７を参照して第１実施形態に係る画像形成装置に交換部品が装着された場合の動作について説明する。図７の画像形成装置の動作は、前記した（１）第１実施形態に係る画像形成装置に交換部品が装着された場合の機能に対応する。
【００４７】
利用者によりプリンタ１に交換部品としてのイメージドラムカートリッジ６ａが装着されると、センサ１４がイメージドラムカートリッジ６ａの装着を検知し、画像処理装置１Ａが以下の処理を開始する。
【００４８】
（ステップＳ１）
ＲＦＩＤ制御部１１１は、ＲＦＩＤリーダ・ライタ１１を介して、ＲＦＩＤタグ６ｂに記憶されるイメージドラムカートリッジ６ａの状態情報（欄１８ａ）を読み出し、判断部１１６に送信する。
【００４９】
（ステップＳ２）
判断部１１６は、ＲＦＩＤ制御部１１１から受信した状態情報（欄１８ａ）の値が「００」であるか否かによりイメージドラムカートリッジ６ａがプリンタ１に未装着の新品であるか否かを判断する。
判断部１１６は、イメージドラムカートリッジ６ａが新品であれば処理をステップＳ３に進めて、新品でなければ処理をステップＳ４に進める。
【００５０】
（ステップＳ３）
ステップＳ２において、新品であると判断した場合（ステップＳ２“Ｙｅｓ”）、ＲＦＩＤ制御部１１１は、ＲＦＩＤリーダ・ライタ１１を介して、記憶部１３に記憶される装置番号（欄１９ａ）を、ＲＦＩＤタグ６ｂの装置番号欄１８ｃに書き込む。また、ＲＦＩＤ制御部１１１は、「１０」をＲＦＩＤタグ６ｂの状態情報欄１８ａに書き込む。
そして、処理をステップＳ１３に進める。
【００５１】
（ステップＳ４）
ステップＳ２において、新品でないと判断した場合（ステップＳ２“Ｎｏ”）、ＲＦＩＤ制御部１１１は、ＲＦＩＤリーダ・ライタ１１を介して、ＲＦＩＤタグ６ｂに記憶されている装置番号（欄１８ｃ）を読み出し、第１比較部１１３に送信する。
【００５２】
（ステップＳ５）
第１比較部１１３は、記憶部１３に記憶されている装置番号（欄１９ａ）と、ステップＳ４でＲＦＩＤ制御部１１１から受信した装置番号（欄１８ｃ）とを比較して、比較結果を判断部１１６に通知する。
判断部１１６は、通知された比較結果が一致していれば処理をステップＳ１３に進めて、通知された比較結果が一致していなければ処理をステップＳ６に進める。
【００５３】
（ステップＳ６）
ステップＳ５において、比較結果が一致していなかった場合（ステップＳ５“Ｎｏ”）、判断部１１６は、印刷制御部１１７に印刷動作を行わせないように通知する。また、判断部１１６は、操作制御部１１２に印刷動作を行えないことを通知する。操作制御部１１２は、表示部１２ａ（図３参照）を介して印刷動作を行えないことを表示し、利用者に通知する。
【００５４】
（ステップＳ７）
判断部１１６は、ステップＳ１でＲＦＩＤ制御部１１１から受信した状態情報（欄１８ａ）により、ＲＦＩＤタグ６ｂの状態情報（欄１８ａ）の値が「１０」である場合には、イメージドラムカートリッジ６ａに管理者ＩＤが登録されていないと判断し、処理をステップＳ８に進めて、状態情報（欄１８ａ）の値が「１１」である場合には、イメージドラムカートリッジ６ａに管理者ＩＤが登録されていると判断し、処理をステップＳ９に進める。
【００５５】
（ステップＳ８）
ステップＳ７において、イメージドラムカートリッジ６ａに管理者ＩＤが登録されていない場合（ステップＳ７“Ｎｏ”）、印刷制御部１１７は、装着したイメージドラムカートリッジ６ａが取り外されるまで待機する。イメージドラムカートリッジ６ａが取り外された場合は、図示しないセンサ１４は、イメージドラムカートリッジ６ａが取り外されたことを検知し、印刷制御部１１７に通知する。
印刷制御部１１７は、イメージドラムカートリッジ６ａが取り外された場合には処理を終了する。
【００５６】
（ステップＳ９，Ｓ１０）
ステップＳ７において、イメージドラムカートリッジ６ａに管理者ＩＤが登録されている場合（ステップＳ７“Ｙｅｓ”）、印刷制御部１１７は、装着したイメージドラムカートリッジ６ａが取り外されるか（ステップＳ９）、又は、管理者が操作パネル１２を介して管理者ＩＤを入力し判断部１１６から許可があるまで待機する（ステップＳ１０）。
イメージドラムカートリッジ６ａが取り外された場合、印刷制御部１１７は処理を終了する。
管理者ＩＤが入力された場合、操作制御部１１２は、入力された管理者ＩＤをＲＦＩＤ制御部１１１及び第２比較部１１４に通知する。
【００５７】
（ステップＳ１１）
ステップＳ１０において、管理者ＩＤが入力された場合（ステップＳ１０“Ｙｅｓ”）、ＲＦＩＤ制御部１１１は、ＲＦＩＤリーダ・ライタ１１を介して、ＲＦＩＤタグ６ｂに記憶される管理者ＩＤ（欄１８ｄ）を読み出し、第２比較部１１４に送信する。
【００５８】
（ステップＳ１２）
第２比較部１１４は、ステップＳ１１でＲＦＩＤ制御部１１１から受信した管理者ＩＤ（欄１８ｄ）と、操作部１１２から受信した管理者ＩＤ（入力）とを、比較して比較結果を判断部１１６に通知する。
判断部１１６は、通知された比較結果が一致していれば処理をステップＳ１３に進めて、通知された比較結果が一致していなければ処理をステップＳ９に戻して、ステップＳ９及びステップＳ１０を繰り返す。
【００５９】
（ステップＳ１３）
ステップＳ３の処理を行った後、又は、ステップＳ５若しくはステップＳ１２で比較結果が一致した場合、判断部１１６は、印刷制御部１１７に印刷動作を行うことを許可する。
以上で、（１）第１実施形態に係る画像形成装置に交換部品が装着された場合の動作の説明を終了する。
【００６０】
＜（２）第１実施形態に係る画像形成装置を介して交換部品に管理者ＩＤの登録を行う場合の動作＞
次に、図８を参照して、第１実施形態に係る画像形成装置を介して交換部品に管理者ＩＤの登録を行う場合の動作について説明する。図８の画像形成装置の動作は、前記した（２）第１実施形態に係る画像形成装置を介して交換部品に管理者ＩＤの登録を行う場合の機能に対応する。
【００６１】
プリンタ１に交換部品としてのイメージドラムカートリッジ６ａが装着されている状態で、管理者が管理者ＩＤを登録する為の操作、例えば、所定の操作ボタン１２ｂを押下することにより、画像処理装置１Ａが以下の処理を開始する。
【００６２】
（ステップＳ１４）
ＲＦＩＤ制御部１１１は、ＲＦＩＤリーダ・ライタ１１を介して、ＲＦＩＤタグ６ｂの状態情報欄１８ａに記憶されている、イメージドラムカートリッジ６ａの状態情報（欄１８ａ）を読み出し、判断部１１６に送信する。
【００６３】
（ステップＳ１５）
判断部１１６は、ＲＦＩＤ制御部１１１から受信した状態情報（欄１８ａ）の値が「１０」であるか否かによりイメージドラムカートリッジ６ａに管理者ＩＤが登録されているか否かを判断する。
判断部１１６は、イメージドラムカートリッジ６ａに管理者ＩＤが登録されていない場合は処理をステップＳ１６に進める。一方、判断部１１６は、イメージドラムカートリッジ６ａに管理者ＩＤが登録されている場合は登録処理を終了する。この際に、操作制御部１１２は、表示部１２ａに「管理者ＩＤは既に登録してあります」の表示を行う。
【００６４】
（ステップＳ１６）
ステップＳ１５において、イメージドラムカートリッジ６ａに管理者ＩＤが登録されていない場合（ステップＳ１５“Ｙｅｓ”）、操作制御部１１２は、管理者が操作パネル１２を介して入力した管理者ＩＤをＲＦＩＤ制御部１１１に送信する。この際に、操作制御部１１２は、表示部１２ａに「管理者ＩＤを入力して下さい」の表示を行う。
次に、ＲＦＩＤ制御部１１１は、ＲＦＩＤリーダ・ライタ１１を介して、ＲＦＩＤタグ６ｂの管理者ＩＤ欄１８ｄに受信した管理者ＩＤ（入力）を書き込み、また、状態情報欄１８ａを「１１」に更新し、処理を終了する。
以上で、（２）第１実施形態に係る画像形成装置を介して交換部品に管理者ＩＤの登録を行う場合の動作の説明を終了する。
【００６５】
（第１実施形態に係る画像形成装置の効果）
第１実施形態に係る画像形成装置は、交換部品を最初に装着した装置でしか使用できないようにし、なおかつ、管理者ＩＤを用いることで、管理者ＩＤを入力して一致した他の画像形成装置でも使用可能とする構成にした。
これにより、交換部品の使い回しは原則として禁止するが、すべての画像形成装置で交換部品の使い回しを禁止すると利便性が低下するので、交換部品の使い回しを決められた範囲に限り許可することができる。
また、管理者は交換部品の使用頻度の管理を容易に行うことが可能となる。
【００６６】
≪第２実施形態の概要≫
第１実施形態においては、従来技術に比べて画像形成装置単位での管理が容易になったが、グループ単位で複数台の画像形成装置を利用する場合、交換部品を別の画像形成装置に装着する際に、管理者がその都度、管理者ＩＤを入力するため、一般の利用者はグループ内での使い回しを行うことができない。第２実施形態は、画像形成装置に同一グループの装置番号を登録して、一般の利用者がグループ内での交換部品の使い回しを行うことができる。
【００６７】
≪第２実施形態に係る画像形成装置の機能、及びデータ構成≫
図９は、第２実施形態に係る画像形成装置の機能構成図である。図１０は、第２実施形態に係る画像形成装置のデータ構成である。
以下では、図１０を参照して、記憶部２３のデータ構成を説明した後に、図９を参照して、画像形成装置としてのプリンタ１が有する機能を説明する。
なお、第１実施形態と機能を同じにするものについては同一符号を付し、以下では、第１実施形態と異なる機能のみ説明する。
【００６８】
≪第２実施形態で使用するデータ構成≫
（記憶部のデータ構構成）
図１０は、記憶部２３のデータ構成である。
装置番号欄１９ａには、第１実施形態と同じ情報が記憶される。
同一グループ装置番号欄１９ｂには、同一グループに所属するプリンタの他の装置識別情報としての装置番号が記憶される。同一グループ装置番号欄１９ｂには、図１０に示すように、複数のプリンタの装置番号を記録することが可能である。
以上で、記憶部２３のデータ構成の説明を終了する。
【００６９】
≪第２実施形態に係る画像形成装置の機能≫
図９は、第２実施形態に係る画像形成装置としてのプリンタ１の機能構成図である。図９中の制御部２００内に「○○部」と記載する機能は、制御部２００が、記憶部２３に記憶される制御プログラムを、図示しないマイクロプロセッサが実行することで実現する。
以下、各機能について、（１）第２実施形態に係る画像形成装置に交換部品が装着された場合、（３）第２実施形態に係る画像形成装置に同一グループに所属する画像形成装置の装置番号の登録を行う場合と、に分けて説明する。
【００７０】
＜（１）第２実施形態に係る画像形成装置に交換部品が装着された場合の機能＞
（第１比較部）
第１比較部２１３は、交換部品としてのイメージドラムカートリッジ６ａが、交換部品の使い回しを許可された画像形成装置に装着されたか否かの判定を行う。
具体的には、第１比較部２１３は、ＲＦＩＤ制御部１１１から受信したＲＦＩＤタグ６ｊに記憶される装置番号（欄１８ｃ）と、記憶部２３に記憶される装置番号（欄１９ａ）、及び、同一グループ装置番号（欄１９ｂ）とを比較して、比較結果を判断部１１６に送信する。このとき、装置番号（欄１８ｃ）が、装置番号（欄１９ａ）、及び、同一グループ装置番号（欄１９ｂ）のいずれかと一致した場合に比較結果が一致したとし、いずれにも一致しなかった場合に比較結果が一致しなかったとする。
【００７１】
＜（３）第２実施形態に係る画像形成装置に同一グループに所属する画像形成装置の装置番号の登録を行う場合の機能＞
（操作制御部）
操作制御部２１２は、装置番号の入力を誘導する画面を表示部１２ａに表示し、管理者が入力した同一グループに所属するプリンタの装置番号を、記憶部２３の同一グループ装置番号欄１９ｂに記憶する。
【００７２】
≪第２実施形態に係る画像形成装置の動作≫
＜（３）第２実施形態に係る画像形成装置に同一グループに所属する画像形成装置の装置番号の登録を行う場合の動作＞
まず、管理者は、同一グループに所属するプリンタの装置番号をプリンタ１に事前に登録しておく必要がある。同一グループに所属するプリンタの装置番号をプリンタ１に事前に登録する動作は、前記した（３）第２実施形態に係る画像形成装置に同一グループに所属する画像形成装置の装置番号の登録を行う場合の機能に対応する。
【００７３】
（同一グループに所属する画像形成装置の装置番号の事前登録）
管理者は、プリンタ１に交換部品としてのイメージドラムカートリッジ６ａを装着する前に、同一グループに所属するプリンタの装置番号を、操作パネル１２を介してプリンタ１に入力する。操作制御部２１２は、入力された管理者ＩＤ（入力）を、記憶部２３の同一グループ装置番号欄（１９ｂ）に書き込む。これにより、プリンタ１の同一グループに所属するプリンタの装置番号の事前登録が終了する。
以上で、（３）第２実施形態に係る画像形成装置に同一グループに所属する画像形成装置の装置番号の登録を行う場合の動作の説明を終了する。
【００７４】
＜（１）第２実施形態に係る画像形成装置に交換部品が装着された場合の動作＞
図１１は、第２実施形態に係る画像形成装置に交換部品が装着されたときの動作を示す。図１１の画像形成装置の動作は、前記した（１）第２実施形態に係る画像形成装置に交換部品が装着された場合の機能に対応する。
以下では、図７に示す第１実施形態に係る画像形成装置に交換部品が装着されたときの動作と異なる箇所のみ説明する。
第２実施形態の動作を示す図１１中のステップＳ２０と、第１実施形態の動作を示す図７中のステップＳ５とが異なる箇所である。
【００７５】
（ステップＳ２０）
第１比較部２１３は、記憶部２３に記憶される装置番号（欄１９ａ）及び同一グループ装置番号（欄１９ｂ）と、ステップＳ４でＲＦＩＤ制御部１１１から受信した装置番号（欄１８ｃ）とを比較して、比較結果を判断部１１６に通知する。第１比較部２１３は、装置番号欄１９ａ及び同一グループ装置番号欄１９ｂに記憶されている装置番号のいずれか１つに一致するものがあれば、比較結果は一致するとする。
判断部１１６は、通知された比較結果が一致していれば処理をステップＳ１３に進めて、通知された比較結果が一致していなければ処理をステップＳ６に進める。
以上で、（１）第２実施形態に係る画像形成装置に交換部品が装着された場合の動作の説明を終了する。
【００７６】
（第２実施形態に係る画像形成装置の効果）
第２実施形態に係る画像形成装置は、第１実施形態に係る画像形成装置にグループに所属する画像形成装置の装置番号を登録できる構成にした。
これにより、第１実施形態の効果に加え、管理者のＩＤを入力することなくグループ内での使い回しを一般使用者が行うことができるという効果を奏する。また、登録していない装置番号の場合、使用を許可しないので、グループ外からの持ち込み、及びグループ外への持ち出しも制限することが可能である。
【００７７】
≪第３実施形態の概要≫
第３実施形態は、第２実施形態と同様の点を課題とするが、第２実施形態では、同一グループに所属する複数の画像形成装置の装置番号を事前登録しておく必要がある。第３実施形態では、画像形成装置にグループ識別子を付与して、同一グループに所属する画像形成装置の装置番号の変わりにグループ識別子を登録する。これにより、複数の装置番号を登録する手間が省ける。
【００７８】
≪第３実施形態に係る画像形成装置の機能、及びデータ構成≫
図１２は、第３実施形態に係る画像形成装置の機能構成図である。図１３は、第３実施形態に係る画像形成装置のデータ構成である。図１４は、第３実施形態に係るＲＦＩＤタグのデータ構成である。
以下では、図１３及び図１４を参照して、記憶部３３及びＲＦＩＤタグ６ｂのデータ構成を説明した後に、図１２を参照して、画像形成装置としてのプリンタ１が有する機能を説明する。
なお、第１実施形態と機能を同じにするものについては同一符号を付し、以下では、第１実施形態と異なる機能のみ説明する。
【００７９】
≪第３実施形態で使用するデータ構成≫
（記憶部のデータ構成）
図１３は、記憶部３３のデータ構成である。
装置番号欄１９ａには、第１実施形態と同じ情報が記憶される。
グループ識別子欄１９ｃには、プリンタ１が所属するグループの自己グループ識別情報としてのグループ識別子が記憶される。グループ識別子（欄１９ｃ）は、例えば、管理者によって付与されるシリアル番号でよい。同じグループに所属する画像形成装置には、同じグループ識別子が設定される。
以上で、記憶部３３のデータ構成の説明を終了する。
【００８０】
（ＲＦＩＤタグのデータ構成）
図１４は、ＲＦＩＤタグ６ｂのデータ構成である。
状態情報欄１８ａ，ユニット番号欄１８ｂ，装置番号欄１８ｃ，管理者ＩＤ欄１８ｄには、第１実施形態と同じ情報が記憶される。
グループ情報欄１８ｅには、プリンタ１のグループ情報が記憶される。グループ情報（欄１８ｅ）は、「０」又は「１」の値に設定される。「０」は、グループ識別情報としてのグループ識別子がグループ識別子欄（１８ｆ）に登録されていないことを示し、「１」は、グループ識別子がグループ識別子欄（１８ｆ）に登録されていることを示す。
【００８１】
グループ識別子欄１８ｆには、プリンタ１が所属するグループの部品グループ識別情報としてのグループ識別子が記憶される。グループ識別子（欄１８ｆ）は、記憶部３３に記憶されるグループ識別子（欄１９ｃ）と同じデータ形式である。
以上で、ＲＦＩＤタグ６ｂのデータ構成の説明を終了する。
【００８２】
≪第３実施形態に係る画像形成装置の機能≫
図１２は、第３実施形態に係る画像形成装置としてのプリンタ１の機能構成図である。図１２中の制御部３００内に「○○部」と記載する機能は、制御部３００が、記憶部３３に記憶される制御プログラムを、図示しないマイクロプロセッサが実行することで実現する。
以下、各機能について、（１）第３実施形態に係る画像形成装置に交換部品が装着された場合、（４）第３実施形態に係る画像形成装置、又は交換部品にグループ識別子の登録を行う場合と、に分けて説明する。
【００８３】
＜（１）第３実施形態に係る画像形成装置に交換部品が装着された場合の機能＞
（ＲＦＩＤ制御部）
ＲＦＩＤ制御部３１１は、第１実施形態で有する機能に加えて、グループ識別子が同一であるか否かを判定する際に、グループ情報（欄１８ｅ）を判断部３１６に送信し、さらに、グループ識別子（欄１８ｆ）を第３比較部３１５に送信する。
【００８４】
（第３比較部）
第３比較部３１５は、交換部品としてのイメージドラムカートリッジ６ａが、交換部品の使い回しを許可されたグループに所属する画像形成装置に装着されたか否かの判定を行う。
具体的には、第３比較部３１５は、ＲＦＩＤ制御部３１１から受信したＲＦＩＤタグ６ｂに記憶されるグループ識別子（欄１８ｆ）と、記憶部３３に記憶されるグループ識別子（欄１９ｃ）とを比較して、比較結果を判断部３１６に送信する。
【００８５】
（判断部）
判断部３１６は、第１実施形態で有する機能に加えて、第３比較部の比較結果を基に、印刷制御部１１７が印字を行うことを許可するか否かの判断を行い、判断結果を印刷制御部１１７に通知する。
具体的には、判断部３１６は、状態情報（欄１８ａ）が「１０」又は「１１」であって、第１比較部から受信した比較結果が一致していないが、第３比較部から受信した比較結果が一致している場合に印刷を許可する。
それ以外の場合に、判断部３１６は印刷を許可しない。
以上で、（１）第３実施形態に係る画像形成装置に交換部品が装着された場合の機能の説明を終了する。
【００８６】
＜（４）第３実施形態に係る画像形成装置、又は交換部品にグループ識別子の登録を行う場合の機能＞
（操作制御部）
操作制御部３１２は、グループ識別子の入力を誘導する画面を表示部１２ａに表示し、管理者がグループ識別子を入力すると、そのグループ識別子を、記憶部３３のグループ識別子欄１９ｃに記憶するとともに、ＲＦＩＤタグ６ｂのグループ識別子欄１８ｆに記憶する。また、操作制御部３１２は、「１」をグループ情報欄１８ｅに記憶する。
【００８７】
≪第３実施形態に係る画像形成装置の動作≫
＜（４）第３実施形成に係る画像形成装置、又は交換部品にグループ識別子の登録を行う場合の動作＞
まず、管理者は、プリンタ１が所属するグループのグループ識別子を、プリンタ１及び交換部品に事前に登録しておく必要がある。グループ識別子をプリンタ１及び交換部品に事前に登録する動作は、前記した（４）第３実施形態に係る画像形成装置、又は交換部品にグループ識別子の登録を行う場合の機能に対応する。
【００８８】
（グループ識別子の事前登録）
管理者は、プリンタ１にイメージドラムカートリッジ６ａを装着する前に、プリンタ１のグループ識別子を、操作パネル１２を介してプリンタ１に入力する。操作制御部３１２は、入力されたグループ識別子を、記憶部３３のグループ識別子欄１９ｃに書き込む。
【００８９】
また、管理者は、イメージドラムカートリッジ６ａの使い回しを可能にするために、イメージドラムカートリッジ６ａがプリンタに装着された状態で、使い回しをしたいグループのグループ識別子を、操作パネル１２を介してイメージドラムカートリッジ６ａに入力する。操作制御部３１２は、入力されたグループ識別子をＲＦＩＤタグのグループ識別子欄１８ｆに書き込み、また、「１」をグループ情報欄１８ｅに書き込む。これにより、グループ識別子の事前登録は終了する。
以上で、（４）第３実施形成に係る画像形成装置、又は交換部品にグループ識別子の登録を行う場合の動作の説明を終了する。
【００９０】
＜（１）第３実施形態に係る画像形成装置に交換部品が装着された場合の動作＞
図１５は、第３実施形態に係る画像形成装置に交換部品が装着されたときの動作を示す。図１５の画像形成装置の動作は、前記した（１）第３実施形態に係る画像形成装置に交換部品が装着された場合の機能に対応する。
【００９１】
以下では、図７に示す第１実施形態に係る画像形成装置に交換部品が装着されたときの動作と異なる箇所のみ説明する。
第３実施形態の動作を示す図１５中のステップＳ２１，及びＳ２２が追加されている点が、第１実施形態の動作と異なる箇所である。
【００９２】
（ステップＳ２１）
ステップＳ５において、比較結果が一致していなかった場合（ステップＳ５“Ｎｏ”）、ＲＦＩＤ制御部３１１は、ＲＦＩＤタグ６ｂに記憶されているグループ情報（欄１８ｅ）を読み出し、判断部３１６に送信する。
判断部３１６は、受信したグループ情報（欄１８ｅ）の値が「１」である場合には、交換部品６ａにグループ識別子が登録されていると判断し、処理をステップＳ２２に進めて、グループ情報（欄１８ｅ）の値が「０」である場合には、交換部品６ａにグループ識別子が登録されていないと判断し、処理をステップＳ６に進める。
【００９３】
（ステップＳ２２）
ステップＳ２１において、グループ識別子が登録されていると判断した場合（ステップＳ２１“Ｙｅｓ”）、ＲＦＩＤ制御部３１１は、ＲＦＩＤタグ６ｂのグループ識別子（欄１８ｆ）を読み出し、第３比較部３１５に送信する。
第３比較部３１５は、記憶部３３に記憶されているグループ識別子（欄１９ｃ）と、ＲＦＩＤ制御部３１１から受信したグループ識別子（欄１８ｆ）とを比較して、比較結果を判断部３１６に通知する。
判断部３１６は、通知された比較結果が一致していれば処理をステップＳ１３に進めて、通知された比較結果が一致していなければ処理をステップＳ６に進める。
以上で、（１）第３実施形態に係る画像形成装置に交換部品が装着された場合の動作の説明を終了する。
【００９４】
（第３実施形態に係る画像形成装置の効果）
第３実施形態に係る画像形成装置は、グループ識別情報を登録できる構成にした。
これにより、第２の実施形態に係る画像形成装置より少ない記憶領域で、第２の実施形態と同等の効果を得ることができる。
【００９５】
≪変形例≫
（画像形成装置）
第１実施形態ないし第３実施形態では、画像形成装置としてプリンタの場合を説明してきたが、これに限定するものではない。
プリンタ以外の画像形成装置としては、例えば、複写機、ファクシミリ装置、スキャナ装置、ＭＦＰ等のプリンタ部とスキャナ部を備える複合機等が該当する。
【００９６】
（交換部品）
第１実施形態ないし第３実施形態（以下、各実施形態と称す）では、交換部品としてイメージドラムカートリッジ６ａ（図２参照）を用いる場合を説明してきたが、これに限定するものではない。例えば、図１６を用いて説明すると、定着ユニット７を交換可能にすれば、定着ユニット７を交換部品として各実施形態を適用することができる。また、イメージドラムカードリッジ６ａのトナー格納部６ｃをトナーカートリッジ１５として交換可能にすれば、トナーカートリッジ１５を交換部品として各実施形態を適用することができる。また、ベルトユニット１６を交換可能にすれば、ベルトユニット１６を交換部品として各実施形態を適用することができる。その他、感光ドラム等も交換部品となり得る。
【００９７】
さらに、プリンタ１がインクジェットプリンタの場合には、インクカートリッジが交換部品となり得る。また、変形例で説明したように、画像形成装置として複写機等を適用する場合には、適用する種々の画像形成装置に各実施形態を適用することが可能であり、交換部品も多岐にわたる。すなわち、画像形成装置で使用され交換可能であるものならば交換部品として各実施形態を適用することができる。
この場合、ＲＦＩＤラタグ６ｂを適用可能な交換部品に装着すると共に、ＲＦＩＤリーダ・ライタ１１をＲＦＩＤタグ６ｂと通信可能な場所に設置する。
【００９８】
また、１つの画像形成装置の中に複数の交換部品がある場合、それぞれの交換部品にＲＦＩＤタグ６ｂを装着して、ＲＦＩＤリーダ・ライタ１１が複数の交換部品と通信を行い、記憶部１３，２３，３３に各交換部品についての情報を記憶する。そして、制御部１００は複数の交換部品の情報を基に画像処理を行うことを許可するか否かの判断を行うことができる。この際、ＲＦＩＤリーダ・ライタ１１が複数の交換部品のＲＦＩＤタグ６ｂを読み取るには、タイムスロット方式等に代表されるアンチコリジョン技術を用いることができる。
【００９９】
（操作パネル）
第１実施形態ないし第３実施形態（以下、各実施形態と称す）では、図３に示すように操作パネル１２に操作ボタン１２ｂを設けて、管理者ＩＤ等の入力は操作ボタン１２ｂを介して行われていたが、これに限定するものではない。例えば、各実施形態のプリンタ１の操作パネル１２に、磁気カード，非接触通信カード等の読み取り装置を設けて、カード内データの読み取り入力であってもよい。すなわち、情報入力を行える方法であれば、操作ボタン１２ｂに変えて種々の構成を適用することができる。
【符号の説明】
【０１００】
１        プリンタ（画像形成装置）
１Ａ      画像処理装置
６        画像形成ユニット（画像形成部）
６ａ      イメージドラムカートリッジ（交換部品）
６ｂ      ＲＦＩＤタグ（データキャリア）
７        定着ユニット
１１      ＲＦＩＤリーダ・ライタ（取得部）
１２      操作パネル（入力部）
１４      センサ
１８ａ    状態情報
１８ｂ    ユニット番号
１８ｃ    装置番号（部品装置識別情報）
１８ｄ    管理者ＩＤ（部品管理識別情報）
１８ｅ    グループ情報
１８ｆ    グループ識別子（部品グループ識別情報）
１９ａ    装置番号（自己装置識別情報）
１９ｂ    同一グループ装置番号（他の装置識別情報）
１９ｃ    グループ識別子（自己グループ識別情報）
１００    制御部
１３，２３，３３        記憶部
１１１，３１１          ＲＦＩＤ制御部
１１２，２１２，３１２  操作制御部
１１３，２１３          第１比較部
１１４                  第２比較部
３１５                  第３比較部
１１６，３１６          判断部
１１７                  印刷制御部
【図１】
0005438478.tif 000002
【図２】
0005438478.tif 000003
【図３】
0005438478.tif 000004
【図４】
0005438478.tif 000005
【図５】
0005438478.tif 000006
【図６】
0005438478.tif 000007
【図７】
0005438478.tif 000008
【図８】
0005438478.tif 000009
【図９】
0005438478.tif 000010
【図１０】
0005438478.tif 000011
【図１１】
0005438478.tif 000012
【図１２】
0005438478.tif 000013
【図１３】
0005438478.tif 000014
【図１４】
0005438478.tif 000015
【図１５】
0005438478.tif 000016
【図１６】
0005438478.tif 000017